(57)【要約】  【課題】  動画データの再生中に、該動画データの複製を受け付け、再生を一時停止することなく、再生箇所の前の箇所から前記動画データの複製を開始することができる記録再生装置を提供する。  【解決手段】  ハードディスク２４に記録された動画データを再生するハードディスクドライブ２１、信号処理部３０及び圧縮伸張部５と、ハードディスク２４に記録された動画データをＤＶＤ２５に複製するＤＶＤドライブ２２とを備える記録再生装置に、動画データの再生中に該動画データの複製を受け付けるＤＶＤボタンと、ＤＶＤボタンが操作された場合、ハードディスクドライブ２１及びＤＶＤドライブ２２の読出及び書込みを制御することにより、ハードディスク２４に記録された動画データを、ＤＶＤ２５に複製させ、ハードディスクドライブ２１による動画データの再生を継続させる処理を実行する制御部１とを備える。【選択図】        図１
2006338847.tif 000002
【特許請求の範囲】
【請求項１】
ランダムアクセス可能な一の記録媒体に記録された動画データを再生する再生手段と、前記一の記録媒体に記録された動画データを他の記録媒体に複製する複製手段とを備える記録再生装置において、
前記再生手段による動画データの再生中に該動画データの複製を受け付ける受付手段を備え、
前記複製手段は、
前記受付手段が複製を受け付けた場合、前記動画データを前記再生手段が再生している箇所より前の箇所から前記他の記録媒体に複製するようにしてあり、
前記再生手段は、
前記複製手段による前記動画データの複製に並行して、動画データの再生を継続するようにしてある
ことを特徴とする記録再生装置。
【請求項２】
前記複製手段は、
動画データを冒頭から複製する手段を備える
ことを特徴とする請求項１に記載の記録再生装置。
【請求項３】
動画データが複数の部分に分割されて記録されている場合、前記複製手段は、動画データを、前記受付手段が複製を受け付けたときに前記再生手段が再生している動画データの属する部分の冒頭から複製する手段を備える
ことを特徴とする請求項１又は請求項２に記載の記録再生装置。
【請求項４】
前記受付手段が複製を受け付けた場合、前記再生手段が再生している動画データの一部の画像を示す縮小静止画像を表示させる縮小静止画像表示手段を備える
ことを特徴とする請求項１乃至請求項３のいずれか一つに記載の記録再生装置。
【請求項５】
前記受付手段が複製を受け付けた場合、前記一の記録媒体に記録された複製を制限するか否かを示すデータに基づいて、前記再生手段が再生している動画データの複製が制限されているか否かを判定する判定手段を備え、
前記縮小静止画像表示手段は、
前記判定手段が動画データの複製が制限されていると判定したとき、前記縮小静止画像を表示させるようにしてある
ことを特徴とする請求項４に記載の記録再生装置。
【請求項６】
前記受付手段が複製を受け付けた場合、前記一の記録媒体に記録された複製を制限するか否かを示すデータに基づいて、前記再生手段が再生している動画データの複製が制限されているか否かを判定する判定手段と、
該判定手段が動画データの複製が制限されていると判定した場合、複製が制限されている旨の警告を出力する手段と
を備えることを特徴とする請求項１乃至請求項４のいずれか一つに記載の記録再生装置。
【請求項７】
前記受付手段が複製を受け付けた時からの経過時間を計時する計時手段を備え、
前記複製手段は、
前記受付手段が複製を受け付けた場合、前記計時手段が前記所定時間を計時したとき、前記再生手段が再生している動画データを複製するようにしてあり、
所定時間を前記計時手段が計時する迄、前記受付手段が受け付けた複製に係る受付内容の取り消しを受け付ける取消受付手段と、
該取消受付手段が取り消しを受け付けた場合、前記受付手段が受け付けた複製に係る受付内容を取り消す手段と
を備えることを特徴とする請求項１乃至請求項６のいずれか一つに記載の記録再生装置。
【請求項８】
複数の前記他の記録媒体を着脱自在に収容する収容部を備え、
前記複製手段は、
前記一の記録媒体に記録された動画データを前記複数の他の記録媒体に複製する手段を備え、
前記受付手段は、
動画データの複製及び複製先の記録媒体を受け付ける手段を備え、
前記複製手段は、
前記受付手段が受け付けた複製先の記録媒体に前記動画データを複製するようにしてある
ことを特徴とする請求項１乃至請求項７のいずれか一つに記載の記録再生装置。
【発明の詳細な説明】
【技術分野】
【０００１】
本発明は、一の記録媒体に記録された動画データを他の記録媒体に複製するように構成してある記録再生装置に関する。
【背景技術】
【０００２】
従来のハードディスク一体型のＤＶＤレコーダは、ハードディスクドライブ及びＤＶＤ（Ｄｉｇｉｔａｌ  Ｖｅｒｓａｔｉｌｅ  Ｄｉｓｃ）ドライブを備え、各ドライブは、夫々ハードディスク、ＤＶＤに記録された動画データを再生する再生部を備えている。再生部によるハードディスクに記録された動画データの再生中に複製を受け付けた場合、ＤＶＤレコーダは、動画データの再生を一時停止し、ハードディスクに記録されている複数の動画データ夫々を代表するサムネイル画像を表示する。そして、ＤＶＤレコーダは、サムネイル画像の選択によって、使用者が複製を所望する動画データを受け付け、受け付けた動画データをＤＶＤに複製する。動画データの複製を開始した場合、再生部は、複製処理に並行して動画データの再生を再開する。
【特許文献１】特開２００１−１６７５１６号公報
【発明の開示】
【発明が解決しようとする課題】
【０００３】
しかしながら、従来のＤＶＤレコーダにおいては、動画データの再生中に、該動画データの複製を使用者が思い立った場合、再生を一時停止して、複製する動画データの選択を行う必要があり、複製の操作が煩雑であるという問題があった。
【０００４】
本発明は、斯かる事情に鑑みてなされたものであり、一の記録媒体に記録された動画データの再生中に該動画データの複製を受け付け、複製を受け付けた場合、前記動画データの再生に並行して該動画データを再生箇所より前の箇所から他の記録媒体に複製するように構成することにより、従来のＤＶＤレコーダに比べてより少ない手順で複製を受け付け、再生を一時停止することなく複製を開始することができる記録再生装置を提供することを目的とする。
【０００５】
また、複製を受け付けた場合、再生している動画データを、冒頭から他の記録媒体に複製するように構成することにより、使用者が複製を思い立った時の動画データの再生箇所に関わらず、動画データを冒頭から他の記録媒体に複製することができる記録再生装置を提供することを他の目的とする。
【０００６】
更に、動画データが複数の部分、例えばチャプターに分割されて一の記録媒体に記録されている場合、複製を受け付けたときに再生されている動画データの属する部分の冒頭から動画データを複製するように構成することにより、使用者が複製を思い立った時の動画データの再生箇所に関わらず、再生している動画データをチャプターの冒頭から他の記録媒体に複製することができる記録再生装置を提供することを他の目的とする。
【０００７】
更にまた、動画データの複製を受け付けた場合、複製する動画データの一部の画像を示す縮小静止画像を表示させるように構成することにより、現に再生されている動画データと、複製される動画データの内容が一致するか否かを使用者に再確認させることができる記録再生装置を提供することを他の目的とする。
【０００８】
更にまた、再生している動画データの複製が制限されている場合、動画データの一部の画像を示す縮小静止画像を表示することにより、再生している動画データの複製が制限されていることを前記縮小静止画像で報知することができる記録再生装置を提供することを他の目的とする。
【０００９】
更にまた、再生している動画データの複製が制限されている場合、複製が制限されている旨の警告を出力するように構成することにより、動画データを複製した場合に生ずる問題、例えば動画データが消去され、又はノイズが付加される等の問題が生ずる虞があることを警告することができる記録再生装置を提供することを他の目的とする。
【００１０】
更にまた、複製を受け付けた時から所定時間が経過する迄、複製に係る受付内容の取り消しを受け付け、取り消しを受け付けることなく所定時間が経過した場合、動画データの複製を行うように構成することにより、使用者が誤って動画データの複製を指示した場合であっても、所定時間の間、複製の開始を取り消すことができる記録再生装置を提供することを他の目的とする。
【００１１】
更にまた、動画データの複製と共に複数の記録媒体から複製先の記録媒体を受け付け、複製を受け付けた場合、前記動画データを前記複製先の記録媒体に複製するように構成することにより、再生中に動画データの複製及び複製先の記録媒体を受け付けることができる記録再生装置を提供することを他の目的とする。
【課題を解決するための手段】
【００１２】
本発明に係る記録再生装置は、ランダムアクセス可能な一の記録媒体に記録された動画データを再生する再生手段と、前記一の記録媒体に記録された動画データを他の記録媒体に複製する複製手段とを備える記録再生装置において、前記再生手段による動画データの再生中に該動画データの複製を受け付ける受付手段を備え、前記複製手段は、前記受付手段が複製を受け付けた場合、前記動画データを前記再生手段が再生している箇所より前の箇所から前記他の記録媒体に複製するようにしてあり、前記再生手段は、前記複製手段による前記動画データの複製に並行して、動画データの再生を継続するようにしてあることを特徴とする。
【００１３】
本発明にあっては、動画データの再生中に、受付手段が該動画データの複製を受け付ける。従って、複製する動画データを選択するためのサムネイル画像表示、動画データの選択処理等が不要である。複製を受け付けた場合、複製手段は、再生手段が再生している動画データを、再生箇所より前の箇所から他の記録媒体に複製し、再生手段は、複製手段による複製に並行して、動画データの再生を継続する。従って、動画データの再生を一時停止することなく、動画データの複製を受け付け、複製を開始することができる。
【００１４】
本発明に係る記録再生装置は、前記複製手段が、動画データを冒頭から複製する手段を備えることを特徴とする。
【００１５】
本発明にあっては、複製手段は、再生している動画データを冒頭から他の記録媒体に複製する。従って、動画データの複製を受付手段が受け付けたときの再生箇所に関わらず、複製を所望する動画データは冒頭から他の記録媒体に複製される。
【００１６】
本発明に係る記録再生装置は、動画データが複数の部分に分割されて記録されている場合、前記複製手段は、動画データを、前記受付手段が複製を受け付けたときに前記再生手段が再生している動画データの属する部分の冒頭から複製する手段を備えることを特徴とする。
【００１７】
本発明にあっては、動画データが複数の部分に分割されて一の記録媒体に記録されている場合、例えば、動画データが複数のチャプターに分割されて記録されている場合、受付手段が複製を受け付けたときに再生されている箇所の動画データが属する部分の冒頭から動画データを複製する。従って、動画データの複製を受け付けたときの再生箇所に関わらず、複製を所望する動画データは前記部分の冒頭から複製される。
【００１８】
本発明に係る記録再生装置は、前記受付手段が複製を受け付けた場合、前記再生手段が再生している動画データの一部の画像を示す縮小静止画像を表示させる縮小静止画像表示手段を備えることを特徴とする。
【００１９】
本発明にあっては、複製を受け付けた場合、再生している動画データの一部の画像を示す縮小静止画像を表示させることにより、複製される動画データの内容を前記縮小静止画像で示すことができる。
【００２０】
本発明に係る記録再生装置は、前記受付手段が複製を受け付けた場合、前記一の記録媒体に記録された複製を制限するか否かを示すデータに基づいて、前記再生手段が再生している動画データの複製が制限されているか否かを判定する判定手段を備え、前記縮小静止画像表示手段は、前記判定手段が動画データの複製が制限されていると判定したとき、前記縮小静止画像を表示させるようにしてあることを特徴とする。
【００２１】
本発明にあっては、動画データの複製が制限されている場合、再生手段が再生している動画データの一部の画像を示す縮小静止画像を表示することにより、再生している動画データの複製が制限されていることを前記縮小静止画像で報知する。
【００２２】
本発明に係る記録再生装置は、前記受付手段が複製を受け付けた場合、前記一の記録媒体に記録された複製を制限するか否かを示すデータに基づいて、前記再生手段が再生している動画データの複製が制限されているか否かを判定する判定手段と、該判定手段が動画データの複製が制限されていると判定した場合、複製が制限されている旨の警告を出力する手段とを備えることを特徴とする。
【００２３】
本発明にあっては、動画データの複製が制限されている場合、動画データの複製が制限されている旨の警告を出力する。従って、再生している動画データの複製が制限されていることを使用者に警告することができる。
【００２４】
本発明に係る記録再生装置は、前記受付手段が複製を受け付けた時からの経過時間を計時する計時手段を備え、前記複製手段は、前記受付手段が複製を受け付けた場合、前記計時手段が前記所定時間を計時したとき、前記再生手段が再生している動画データを複製するようにしてあり、所定時間を前記計時手段が計時する迄、前記受付手段が受け付けた複製に係る受付内容の取り消しを受け付ける取消受付手段と、該取消受付手段が取り消しを受け付けた場合、前記受付手段が受け付けた複製に係る受付内容を取り消す手段とを備えることを特徴とする。
【００２５】
本発明にあっては、受付手段が複製を受け付けた時から所定時間が経過する迄、取消受付手段は、複製に係る受付内容の取り消しを受け付け、取り消しを受け付けた場合、受付内容を取り消す。取消受付手段が取り消しを受け付けることなく、計時手段が所定時間を計時した場合、つまり動画の複製を受け付けてから所定時間が経過したとき、複製手段は、動画データを他の記録媒体に複製する。従って、所定時間の間、動画データの複製は開始されず、使用者は、動画データの複製を取り消すことができる。
【００２６】
本発明に係る記録再生装置は、複数の前記他の記録媒体を着脱自在に収容する収容部を備え、前記複製手段は、前記一の記録媒体に記録された動画データを前記複数の他の記録媒体に複製する手段を備え、前記受付手段は、動画データの複製及び複製先の記録媒体を受け付ける手段を備え、前記複製手段は、前記受付手段が受け付けた複製先の記録媒体に前記動画データを複製するようにしてあることを特徴とする。
【００２７】
本発明にあっては、動画データの複製と共に複数の他の記録媒体から複製先の記録媒体を受付手段が受け付ける。そして、受付手段が複製先の記録媒体及び動画データの複製を受け付けた場合、複製手段は、受付手段が受け付けた複製先の記録媒体に、動画データを複製する。
【発明の効果】
【００２８】
本発明によれば、従来の記録再生装置に比べてより少ない手順で複製を受け付け、再生を一時停止することなく複製を開始することができる。
また、動画データは、再生箇所より前の箇所から複製されるため、使用者が複製を思い立った時に再生済みの動画データも含めて動画データを複製することができる。
【００２９】
本発明によれば、使用者が複製を思い立った時の動画データの再生箇所に関わらず、動画データを冒頭から他の記録媒体に複製することができる。
【００３０】
本発明によれば、使用者が複製を思い立った時の動画データの再生箇所に関わらず、再生している動画データをチャプターの冒頭から他の記録媒体に複製することができる。
【００３１】
本発明によれば、現に再生されている動画データと、複製される動画データの内容が一致するか否かを使用者に再確認させることができる。
【００３２】
本発明によれば、再生している動画データの複製が制限されていることを動画データの一部の画像を示す縮小静止画像で報知することができる。
【００３３】
本発明によれば、複製が制限されている動画データを複製した場合に生ずる問題、例えば動画データが消去され、ノイズが付加され、又は複製許容回数が減少する等の問題が生ずる虞があることを警告することができる。
【００３４】
本発明によれば、使用者が誤って動画データの複製を指示した場合であっても、所定時間の間、複製の開始を取り消すことができる。
【００３５】
本発明によれば、再生中に動画データの複製及び複製先の記録媒体を受け付けることができる。
特に、動画データの複製及び複製先の記録媒体を一括で受け付けるように構成した場合、複製及び記録媒体を個別に受け付ける記録再生装置に比べて、より少ない操作で動画データの複製及び複製先を受け付けることができる。
【発明を実施するための最良の形態】
【００３６】
以下、本発明をその実施の形態を示す図面に基づいて詳述する。
図１は、本発明の実施の形態に係る記録再生装置のブロック図、図２は、記録再生装置を操作するリモートコントロール装置のブロック図、図３は、記録再生装置の略示斜視図である。
実施の形態に係る記録再生装置は、ハードディスク２４、ＤＶＤ−Ｒ、ＤＶＤ−ＲＷ、ＤＶＤ−ＲＡＭ、ＤＶＤ＋Ｒ等のデータ書込み可能なＤＶＤ２５及びＢＤ２６（Ｂｌｕ−ｒａｙ  Ｄｉｓｃ）に記録された動画データを再生し、再生中に該動画データの複製を受け付けて、動画データをハードディスク２４、ＤＶＤ２５又はＢＤ２６のいずれかに複製するように構成されている。
【００３７】
図中７１は、アナログのビデオ信号が入力するビデオ信号入力部７１ａ及びアナログの音声信号が入力する音声信号入力部７１ｂからなる入力部であり、ビデオ信号入力部７１ａ及び音声信号入力部７１ｂに入力したビデオ信号及び音声信号は、夫々ＡＤＣ６１ａ及びＡＤＣ６１ｂに送り出される。
ビデオ信号及び音声信号は、例えば図示しないアンテナで受信した放送信号からチューナ回路で選局され、検波された信号である。
【００３８】
ＡＤＣ６１ａは、ビデオ信号を、例えばサンプリング周波数１３．５ＭＨｚ、量子化ビット数８ビットでデジタルのビデオデータにＡＤ変換し、圧縮伸張部５に与える。
ＡＤＣ６１ｂは、音声信号をサンプリング周波数４８ｋＨｚ、量子化ビット数１６ビットでデジタルの音声データにＡＤ変換し、圧縮伸張部５に与える。
【００３９】
圧縮伸張部５は、ＡＤＣ６１ａから受けたビデオデータをＭＰＥＧ２の圧縮伸張方式で圧縮し、ＡＤＣ６１ｂから受けた音声データをＡＣ−３の圧縮伸張方式で圧縮する。そして、圧縮伸張部５は、圧縮伸張部５で圧縮したビデオデータ及び音声データを、合成部４１に出力する。
【００４０】
合成部４１は、圧縮伸張部５から出力されたビデオデータ及び音声データを合成した動画データ、即ちストリームデータを生成し、生成した動画データを信号処理部３０に入力する。
【００４１】
信号処理部３０は、一時記憶用のメモリ３１を備えており、ハードディスク２４、ＤＶＤ２５、又はＢＤ２６に動画データを記録及び再生する際に発生するエラーを訂正するためのエラー訂正符号を動画データに付加する回路、動画データのデータ形式を所定形式に変換する回路等を備えており、エラー訂正符号を付加した動画データをハードディスクドライブ２１、ＤＶＤドライブ２２、又はＢＤドライブ２３に出力する。動画データの出力先のハードディスクドライブ２１、ＤＶＤドライブ２２、又はＢＤドライブ２３の選択は、計時部１ａを内蔵したマイクロコンピュータからなる制御部１により制御されている。
【００４２】
ハードディスクドライブ２１は、信号処理部３０から出力された動画データを変調する変調部２１ｂ、変調部２１ｂが変調した動画データをハードディスク２４に書込むヘッド部２１ａを備えている。また、ハードディスクドライブ２１は、ヘッド部２１ａがハードディスク２４から読出した動画データを復調する復調部２１ｃを備えており、復調部２１ｃは、復調した動画データを信号処理部３０に入力する。
【００４３】
ＤＶＤドライブ２２は、信号処理部３０から出力された動画データを８−１６方式で変調する変調部２２ｂ、変調した動画データをＤＶＤ２５に書込む光ビックアップ２２ａ、及び光ビックアップ２２ａが読み出した動画データを復調する復調部２２ｃを備えている。復調部２２ｃは、復調した動画データを信号処理部３０に入力する。
【００４４】
ＢＤドライブ２３は、信号処理部３０から出力された動画データを、ＢＤ２６の規格に対応した方式で変調する変調部２３ｂ、変調した動画データをＢＤ２６に書込む光ビックアップ２３ａ、及び光ビックアップ２３ａが読み出した動画データを復調する復調部２３ｃを備えている。復調部２３ｃは、復調した動画データを信号処理部３０に入力する。
【００４５】
図３に示すように記録再生装置が備える筐体１１の正面側には、ＤＶＤ２５及びＢＤ２６を出し入れするための矩形の挿入口が夫々設けられており、ＤＶＤドライブ２２は、ＤＶＤ２５を内部に収容するＤＶＤ収容部２２ｄ、ＤＶＤ２５を載せてＤＶＤ収容部２２ｄの内部へＤＶＤ２５を誘導する図示しないステージ、及びステージを挿入口から前後方向へスライドさせるモータを備えている。
同様に、ＢＤドライブ２３は、ＢＤ２６を内部に収容するＢＤ収容部２３ｄ、ＢＤ２６を載せてＢＤ収容部２３ｄの内部へＢＤ２６を誘導する図示しないステージ、及びステージを挿入口から前後方向へスライドさせるモータを備えている。
【００４６】
正面視でＤＶＤ２５及びＢＤ２６の挿入口夫々の右側には、ＤＶＤドライブ２２及びＢＤドライブ２３のステージを操作するＤＶＤイジェクトボタン９２ａ及びＢＤイジェクトボタン９２ｂが設けられている。ＤＶＤイジェクトボタン９２ａ及びＢＤイジェクトボタン９２ｂ等を有する操作部９２は、制御部１に接続されており、制御部１は、ＤＶＤイジェクトボタン９２ａ及びＢＤイジェクトボタン９２ｂの操作状態に応じて、各モータの回転を制御する。また、ＢＤ２６のの挿入口の下側には、液晶の表示部１０が設けられており、表示部１０は、制御部１から出力されるデータに基づいて、画像を表示する。
【００４７】
信号処理部３０は、ハードディスクドライブ２１、ＤＶＤドライブ２２、又はＢＤドライブ２３から動画データが入力された場合、動画データの誤り訂正処理を実行し、誤り訂正した動画データを分離部４２に出力する。
【００４８】
分離部４２は、信号処理部３０から出力された動画データを、ビデオデータ及び音声データに分離し、分離したビデオデータ及び音声データを、圧縮伸張部５に与える。
圧縮伸張部５は、分離部４２から与えられたビデオデータをＯＳＤ表示処理部８に出力し、音声データをＤＡＣ６２ｂに出力する。
【００４９】
ＯＳＤ表示処理部８は、制御部１から出力される画像のデータに基づいて、該データの画像をビデオデータの画像にＯＳＤ表示させるビデオデータを生成し、生成したビデオデータをＤＡＣ６２ａに出力する。
【００５０】
ＤＡＣ６２ａは、ＯＳＤ表示処理部８から出力されたビデオデータをアナログのビデオ信号にＤＡ変換し、ＤＡ変換したビデオ信号をビデオ信号出力部７２ａに送り出す。
ビデオ信号出力部７２ａは、ＤＡＣ６２ａから送り出されたビデオ信号を外部の図示しない表示装置へ出力する。
【００５１】
ＤＡＣ６２ｂは、圧縮伸張部５から出力された音声データをアナログの音声信号にＤＡ変換し、ＤＡ変換した音声信号を、ビデオ信号出力部７２ａと共に入力部７２を構成する音声信号出力部７２ｂに送り出す。音声信号出力部７２ｂは、ＤＡＣ６２ｂから送り出された音声信号を外部の図示しないスピーカへ出力する。
【００５２】
また、制御部１は、ハードディスクドライブ２１による動画データの読み出し、及び他のＤＶＤドライブ２２又はＢＤドライブ２３による動画データの記録を制御することにより、ハードディスク２４に記録された動画データをＤＶＤ２５又はＢＤ２６に複製する複製処理を実行する機能を有している。
つまり、制御部１の制御によって、ハードディスクドライブ２１は、ヘッド２１ａで動画データをハードディスク２４から読出し、読み出した動画データを復調部２１ｃで復調し、信号処理部３０に入力する。そして、制御部１の制御によって、信号処理部３０は、ハードディスクドライブ２１から入力した動画データをＤＶＤドライブ２２に出力し、ＤＶＤドライブ２２は、入力した動画データを変調部２２ｂで変調し、変調した動画データを光ピックアップ２２ａでＤＶＤ２５に書き込む。
同様にして、制御部１は、ＤＶＤ２５に記録された動画データをハードディスク２４又はＢＤ２６に複製する複製処理、ＢＤ２６に記録された動画データをハードディスク２４又はＤＶＤ２５に複製する複製処理を実行する機能を有している。
【００５３】
制御部１には、記録再生装置を操作するリモコン９０、即ちリモートコントロール装置の発光部９０ｉが発する赤外光の信号を受光する受光部９１が設けられている。リモコン９０は、再生ボタン９０ａ、停止ボタン９０ｂ、ＨＤＤボタン９０ｃ、ＤＶＤボタン９０ｄ、ＢＤボタン９０ｅ、決定ボタン９０ｆ、キャンセルボタン９０ｇ、チャプターボタン９０ｈ等を備えており、各ボタンの操作に対応した信号を発光部９０ｉから赤外光で発信する。
【００５４】
ＨＤＤボタン９０ｃ、ＤＶＤボタン９０ｄ、及びＢＤボタン９０ｅは、再生する記録媒体、即ちハードディスク２４、ＤＶＤ２５又はＢＤ２６の選択、並びに動画データの複製及び複製先を選択するボタンであり、記録及び再生処理を停止している状態で、制御部１がＨＤＤボタン９０ｃの操作を受け付けた場合、再生対象がハードディスク２４であることを示すデータを記憶する。そして、制御部１は、再生対象がハードディスク２４であることを液晶の表示部１０に表示させる。同様に、ＤＶＤボタン９０ｄ又はＢＤボタン９０ｅが操作された場合、制御部１は、再生対象がＤＶＤ２５又はＢＤ２６であることを示すデータを記憶し、表示部１０にその旨を表示させる。なお、制御部１は、処理開始の初期設定時に記録及び再生対象がハードディスク２４であることを示すデータを記憶する。
【００５５】
図４及び図５は、動画データの再生及び複製に係る制御部１の処理手順を示すフローチャートである。再生ボタン９０ａの操作に対応する信号を受光部９１で受光した場合、制御部１は、複製フラグに０を設定し（ステップＳ１）、複製待機フラグに０を設定する（ステップＳ２）。複製フラグは、動画データの再生中に動画データの複製を実行するか否かを示すデータあり、複製待機フラグは、複製の実行を待機している状態であるか否かを示すデータである。
【００５６】
そして、制御部１は、動画データを再生する（ステップＳ３）。つまり、制御部１は、記憶している再生対象の記録媒体、即ち再生対象のハードディスク２４、ＤＶＤ２５又はＢＤ２６のいずれか一つに記録された動画データを再生する。
【００５７】
次いで、制御部１は、複製フラグが１であるか否かを判定する（ステップＳ４）。複製フラグが１であると判定した場合（ステップＳ４：ＹＥＳ）、制御部１は、動画データの複製に係るサブルーチンを呼び出し（ステップＳ５）、動画データの複製を実行する。
【００５８】
複製フラグが１でないと判定した場合（ステップＳ４：ＮＯ）、制御部１は、複製待機フラグが１であるか否かを判定する（ステップＳ６）。複製待機フラグが１であると判定した場合（ステップＳ６：ＹＥＳ）、制御部１は、複製待機に係るサブルーチンを呼び出し（ステップＳ７）、複製待機に係る処理を実行する。
【００５９】
複製待機に係る処理を終えた場合、制御部１は、受光部９１が受光した信号を取得して、キャンセルボタン９０ｇがオンであるか否かを判定する（ステップＳ８）。キャンセルボタン９０ｇがオンであると判定した場合（ステップＳ８：ＹＥＳ）、複製待機フラグに０を設定する（ステップＳ９）。キャンセルボタン９０ｇがオンでないと判定した場合（ステップＳ８：ＮＯ）、制御部１は、後述のステップＳ１７の処理を実行する。
【００６０】
複製待機フラグが１でないと判定した場合（ステップＳ６：ＮＯ）、制御部１は、受光部９１が受光した信号を取得して、ＨＤＤボタン９０ｃがオンであるか否かを判定する（ステップＳ１０）。ＨＤＤボタン９０ｃがオンであると判定した場合（ステップＳ１０：ＹＥＳ）、制御部１は、動画データの複製先の記録媒体がハードディスク２４であることを示すデータを記憶する（ステップＳ１１）。
【００６１】
ＨＤＤボタン９０ｃがオンでないと判定した場合（ステップＳ１０：ＮＯ）、制御部１は、受光部９１が受光した信号を取得して、ＤＶＤボタン９０ｄがオンであるか否かを判定する（ステップＳ１２）。ＤＶＤボタン９０ｄがオンであると判定した場合（ステップＳ１２：ＹＥＳ）、制御部１は、動画データの複製先の記録媒体がＤＶＤ２５であることを示すデータを記憶する（ステップＳ１３）。
【００６２】
ＤＶＤボタン９０ｄがオンでないと判定した場合（ステップＳ１２：ＮＯ）、制御部１は、受光部９１が受光した信号を取得して、ＢＤボタン９０ｅがオンであるか否かを判定する（ステップＳ１４）。ＢＤボタン９０ｅがオンであると判定した場合（ステップＳ１４：ＹＥＳ）、制御部１は、動画データの複製先の記録媒体がＢＤ２６であることを示すデータを記憶する（ステップＳ１５）。
【００６３】
ステップＳ１１、ステップＳ１３、ステップＳ１５の処理を終えた場合、制御部１は、動画データの複製受付に係るサブルーチンを呼び出し（ステップＳ１６）、動画データの複製受付に係る処理を実行する。
【００６４】
ステップＳ５、ステップＳ９若しくはステップＳ１６の処理を終えた場合、ステップＳ８でキャンセルボタン９０ｇがオンでないと判定した場合（ステップＳ８：ＮＯ）、又はステップＳ１４でＢＤボタン９０ｅがオンでないと判定した場合（ステップＳ１４：ＮＯ）、制御部１は、受光部９１が受光した信号を取得して、停止ボタン９０ｂがオンであるか否かを判定する（ステップＳ１７）。
【００６５】
停止ボタン９０ｂがオンであると判定した場合（ステップＳ１７：ＹＥＳ）、制御部１は、複製フラグが１であるか否かを判定する（ステップＳ１８）。停止ボタン９０ｂがオンでないと判定した場合（ステップＳ１７：ＮＯ）、制御部１は、処理をステップＳ３に戻す。
【００６６】
複製フラグが１であると判定した場合（ステップＳ１８：ＹＥＳ）、制御部１は、動画データの複製に係るサブルーチンを呼び出し（ステップＳ１９）、動画データの複製に係る処理を実行する。ステップＳ１９の処理を終えた場合、制御部１は、処理をステップＳ１８に戻す。複製フラグが０であると判定した場合（ステップＳ１８：ＮＯ）、制御部１は、処理を終える。
【００６７】
図６及び図７は、動画データの複製受付に係るサブルーチンの処理手順を示すフローチャートである。複製受付に係るサブルーチンを呼び出した場合、制御部１は、再生している記録媒体と、複製先の記録媒体とが同一であるか否かを判定する（ステップＳ３０）。再生している記録媒体の種類は、再生処理前に制御部１が記憶しており、複製先の記録媒体の種類は、ステップＳ１１、１３又は１５の処理で記憶している。
【００６８】
再生している記録媒体と、複製先の記録媒体とが同一であると判定した場合（ステップＳ３０：ＹＥＳ）、制御部１は、他の複製先の記録媒体を選択すべき旨を指示する画像のデータをＯＳＤ表示処理部８に出力する（ステップＳ３１）。前記データが出力された場合、ＯＳＤ表示処理部８は前記画像をＯＳＤ表示するビデオデータを生成し、ＤＡＣ６２ａに出力する。
【００６９】
再生している記録媒体と、複製先の記録媒体とが異なると判定した場合（ステップＳ３０：ＮＯ）、制御部１は、動画データに付加されており、動画データの複製を制限するデータ、例えばＣＣＩ（Ｃｏｐｙ  Ｃｏｎｔｒｏｌ  Ｉｎｆｏｒｍａｔｉｏｎ）を動画データから抽出する（ステップＳ３２）。そして、制御部１は、前記データに基づいて、動画データの複製が制限されているか否かを判定する（ステップＳ３３）。
【００７０】
複製が制限されていると判定した場合（ステップＳ３３：ＹＥＳ）、制御部１は、複製が制限されている旨の警告画像のデータをＯＳＤ表示処理部８に出力する（ステップＳ３４）。ＯＳＤ表示処理部８は、警告画像をＯＳＤ表示するビデオデータを生成し、ＤＡＣ６２ａに出力する。複製が制限されていないと判定した場合（ステップＳ３３：ＮＯ）、制御部１は、複製が制限されていないことを示すデータを記憶する（ステップＳ３９）。
【００７１】
ステップＳ３４の処理を終えた場合、制御部１は、再生している記録媒体から動画データの一部を示すサムネイル画像（縮小静止画像）のデータを読み出し、読み出したサムネイル画像のデータをＯＳＤ表示処理部８に出力する（ステップＳ３５）。
【００７２】
次いで、制御部１は、受光部９１が受光した信号を取得して、決定ボタン９０ｆがオンであるか否かを判定する（ステップＳ３６）。決定ボタン９０ｆがオンであると判定した場合（ステップＳ３６：ＹＥＳ）、制御部１は、複製が制限されていることを示すデータを記憶する（ステップＳ３７）。
【００７３】
ステップＳ３６で決定ボタン９０ｆがオンでないと判定した場合（ステップＳ３６：ＮＯ）、制御部１は、受光部９１が受光した信号を取得して、キャンセルボタン９０ｇがオンであるか否かを判定する（ステップＳ３８）。キャンセルボタン９０ｇがオンであると判定した場合（ステップＳ３８：ＹＥＳ）、制御部１は、複製の受け付けに係るサブルーチンの処理を終える。キャンセルボタン９０ｇがオンでないと判定した場合（ステップＳ３８：ＮＯ）、制御部１は、処理をステップＳ３４に戻す。
【００７４】
ステップＳ３７又はステップＳ３９の処理を終えた場合、制御部１は、ＤＶＤドライブ２２、又はＢＤドライブ２３に、複製先の記録媒体、即ち複製先のＤＶＤ２５又はＢＤ２６があるか否かを判定する（ステップＳ４０）。
【００７５】
複製先の記録媒体がないと判定した場合（ステップＳ４０：ＮＯ）、制御部１は、複製先の記録媒体の挿入を指示する画像のデータをＯＳＤ表示処理部８に出力する（ステップＳ４１）。
そして、制御部１は、操作部９２の操作状態を検出することにより、操作部９２が操作されたか否かを判定する（ステップＳ４２）。操作部９２が操作されていると判定した場合（ステップＳ４２：ＹＥＳ）、特にＤＶＤイジェクトボタン９２ａが操作されていると判定した場合、制御部１は、ＤＶＤドライブ２２のモータを駆動することによってステージを移動させ、ＢＤイジェクトボタン９２ｂが操作されていると判定した場合、ＢＤドライブ２３のモータを駆動することによってステージを移動させる（ステップＳ４３）。ステップＳ４３の処理を終えた場合、又はステップＳ４２で操作部９２が操作されていないと判定した場合（ステップＳ４２：ＮＯ）、制御部１は、処理をステップＳ４０に戻す。
【００７６】
複製先の記録媒体があると判定した場合（ステップＳ４０：ＹＥＳ）、制御部１は、時間ｔの計時を開始し（ステップＳ４４）、複製待機フラグに１を設定する（ステップＳ４５）。次いで、制御部１は、再生している動画データに関する情報を読み出して、再生している動画データが複数のチャプターに分割されて一の記録媒体に記録されているか否かを判定する（ステップＳ４６）。複数のチャプターに分割されて記録されていると判定した場合（ステップＳ４６：ＹＥＳ）、制御部１は、チャプターの冒頭から動画データを複製するか否かの入力を指示する画像のデータをＯＳＤ表示処理部８に出力し、受光部９１が受光した信号を取得し、チャプターボタン９０ｈ又はキャンセルボタン９０ｇの操作状態に応じて、再生している動画データの属するチャプターを複製するか否かを判定する（ステップＳ４７）。チャプターボタン９０ｈに対応する信号を取得した場合、制御部１は、チャプターを複製すると判定し、キャンセルボタン９０ｇに対応する信号を取得した場合、否と判定する。
【００７７】
チャプターを複製すると判定した場合（ステップＳ４７：ＹＥＳ）、制御部１は、再生している動画データの属するチャプターの冒頭を複製開始点として記憶する（ステップＳ４８）。否と判定した場合（ステップＳ４７：ＮＯ）、又はステップＳ４６で複数のチャプターがないと判定した場合（ステップＳ４６：ＮＯ）、制御部１は、再生している動画データの属するタイトルの冒頭を複製開始点として記憶する（ステップＳ４９）。ステップＳ４８又はステップＳ４９の処理を終えた場合、複製受付に係るサブルーチンの処理を終える。
【００７８】
図８は、複製の待機に係るサブルーチンの処理手順を示すフローチャートである。複製の待機に係るサブルーチンを呼び出した場合、制御部１は、計時部１ａが計時している時間ｔを５から減算し、減算した数を整数化した時間Ｔ＝Ｉｎｔ（５−ｔ）を算出する（ステップＳ５０）。次いで、制御部１は、時間Ｔを表示する画像のデータをＯＳＤ表示処理部８に出力する（ステップＳ５１）。ステップＳ５０及びステップＳ５１の処理によって、複製を受け付けた時からの経過時間が５、４、３、…０とＯＳＤ表示される。
【００７９】
次いで、制御部１は、時間Ｔが０であるか否かを判定する（ステップＳ５２）。時間Ｔが０であると判定した場合（ステップＳ５２：ＹＥＳ）、制御部１は、複製待機フラグに０を設定し（ステップＳ５３）、複製フラグに１を設定する（ステップＳ５４）。ステップＳ５４の処理を終えた場合、又はステップＳ５２で時間Ｔが０でないと判定した場合（ステップＳ５２：ＮＯ）、制御部１は、待機処理に係るサブルーチンの処理を終える。
【００８０】
図９は、複製に係るサブルーチンの処理手順を示すフローチャートである。複製に係るサブルーチンを呼び出した場合、制御部１は、ハードディスクドライブ２１、ＤＶＤドライブ２２又はＢＤドライブ２３の読出しを制御して、一の記録媒体に記録された動画データをタイトルの冒頭又はチャプターの冒頭から所定データ量毎に順次読み出す（ステップＳ６０）。
【００８１】
次いで、制御部１は、複製先の記録媒体に係るハードディスクドライブ２１、ＤＶＤドライブ２２又はＢＤドライブ２３の書込み制御して、動画データを複製先の記録媒体に書込む（ステップＳ６１）。複製先の記録媒体は、ステップＳ１１、１３、又は１５の処理によって制御部１が記憶している。
次いで、制御部１は、動画データの複製が制限されているか否かを判定する（ステップＳ６２）。動画データの複製が制限されているか否かは、ステップＳ３７又はステップＳ３９の処理によって制御部１が記憶している。複製が制限されていると判定した場合（ステップＳ６２：ＹＥＳ）、制御部１は、複製済みの動画データを、複製元の記録媒体、即ち再生している動画データが記録されている記録媒体から削除する（ステップＳ６３）。
【００８２】
ステップＳ６３の処理を終えた場合、又はステップＳ６２で複製が制限されていないと判定した場合（ステップＳ６２：ＮＯ）、制御部１は、全動画データの複製を終えたか否かを判定する（ステップＳ６４）。全動画データの複製を終えたか否かの判定は、動画データの終端を示すデータの有無によって行う。全データの複製を終えたと判定した場合（ステップＳ６４：ＹＥＳ）、制御部１は、複製フラグに０を設定する（ステップＳ６５）。
【００８３】
ステップＳ６５の処理を終えた場合、又はステップＳ６４で全動画データの複製を終えていないと判定した場合（ステップＳ６４：ＮＯ）、制御部１は、複製に係るサブルーチンの処理を終える。
【００８４】
実施の形態に係る記録再生装置にあっては、動画データの再生中のステップＳ１０、１２、１４の処理によって、制御部１は、再生している動画データの複製及び複製先の記録媒体を一括で受け付ける。
そして、制御部１は、動画データの複製を受け付けてから所定時間の５秒が経過する迄の間、ステップＳ７の複製待機処理によって複製の開始を待機し、その間ステップＳ８及びステップＳ９の処理によって、複製の取り消しを受け付ける。複製を受け付けてから５秒が経過した場合、ステップＳ５の処理によって複製に係る処理を実行する。複製及び再生の処理は、ステップＳ３及びステップＳ５によって並行して実行される。
【００８５】
従って、実施の形態に係る記録再生装置によれば、動画の再生中にＨＤＤボタン９０ｃ、ＤＶＤボタン９０ｄ又はＢＤボタン９０ｅを操作することにより、動画データの再生を一時停止することなく、前記動画データの複製を実行することができる。
【００８６】
また、ステップＳ４８、ステップＳ４９の処理によって、複製を受け付けた時の動画データの再生箇所に関わらず、タイトルの冒頭、又はチャプターの冒頭から動画データを複製先の記録媒体に複製することができる。更に、ステップＳ４７の処理によって、動画データをタイトルの冒頭又はチャプターの冒頭のいずれから複製するか否かを受け付けることができる。
【００８７】
更に、使用者が誤ってＨＤＤボタン９０ｃ、ＤＶＤボタン９０ｄ又はＢＤボタン９０ｅを操作した場合であっても、５秒間は、複製の開始を取り消すことができる。
【００８８】
更にまた、ＨＤＤボタン９０ｃ、ＤＶＤボタン９０ｄ又はＢＤボタン９０ｅによって、動画データの複製と共に、複製先の記録媒体を一括で受け付けるため、複製と複製先の記録媒体とを個別に受け付ける場合に比べて、より少ない手順で、複製及び複製先の記録媒体を受け付けることができる。
【００８９】
更にまた、再生している動画データの複製が制限されている場合、制御部１は、ステップＳ３４及びステップＳ３５の処理を実行することにより、動画データを複製した場合に生ずる問題、例えば動画データが消去されることを警告し、動画データの一部を示すサムネイル画像をＯＳＤ表示することにより、使用者に複製の可否を再確認させることができる。
【００９０】
なお、実施の形態に係る記録再生装置においては、ハードディスクドライブ、ＤＶＤドライブ、及びＢＤドライブを備えているが、これに限らず、ＨＤ−ＤＶＤドライブ、ＤＶレコーダ等を備えても良い。
【図面の簡単な説明】
【００９１】
【図１】本発明の実施の形態に係る記録再生装置のブロック図である。
【図２】記録再生装置を操作するリモートコントロール装置のブロック図である。
【図３】記録再生装置の略示斜視図である。
【図４】動画データの再生及び複製に係る制御部の処理手順を示すフローチャートである。
【図５】動画データの再生及び複製に係る制御部の処理手順を示すフローチャートである。
【図６】動画データの複製受付に係るサブルーチンの処理手順を示すフローチャートである。
【図７】動画データの複製受付に係るサブルーチンの処理手順を示すフローチャートである。
【図８】複製の待機に係るサブルーチンの処理手順を示すフローチャートである。
【図９】複製に係るサブルーチンの処理手順を示すフローチャートである。
【符号の説明】
【００９２】
１  制御部
１ａ  計時部
５  圧縮伸張部
８  ＯＳＤ表示処理部
１０  表示部
１１  筐体
２１  ハードディスクドライブ
２２  ＤＶＤドライブ
２２ｄ  ＤＶＤ収容部
２３  ＢＤドライブ
２３ｄ  ＢＤ収容部
２４  ハードディスク
２５  ＤＶＤ
２６  ＢＤ
３０  信号処理部
３１  メモリ
４１  合成部
４２  分離部
７１ａ  ビデオ信号入力部
７１ｂ  音声信号入力部
７２ａ  ビデオ信号出力部
７２ｂ  音声信号出力部
９０  リモコン
９０ａ  再生ボタン
９０ｂ  停止ボタン
９０ｃ  ＨＤＤボタン
９０ｄ  ＤＶＤボタン
９０ｅ  ＢＤボタン
９０ｆ  決定ボタン
９０ｇ  キャンセルボタン
９０ｈ  チャプターボタン
９０ｉ  発光部
９１  受光部
９２  操作部
９２ａ  ＤＶＤイジェクトボタン
９２ｂ  ＢＤイジェクトボタン
【図１】
2006338847.tif 000003
【図２】
2006338847.tif 000004
【図３】
2006338847.tif 000005
【図４】
2006338847.tif 000006
【図５】
2006338847.tif 000007
【図６】
2006338847.tif 000008
【図７】
2006338847.tif 000009
【図８】
2006338847.tif 000010
【図９】
2006338847.tif 000011